(57)【要約】【課題】包装体により包装された棒状乾麺を、ワンタッチの簡易な操作で、単位分量だけ取り分ける。【解決手段】乾麺用包装体は、一定の長さに切り揃えられた単位分量を超える分量の棒状乾麺を収容する筒状部と、その筒状部の両端部を塞ぐ一対の側端部と、を具備する。一対の側端部の一方は、棒状乾麺の一方の端部と対向するように設けられた麺取り出し口と、麺取り出し口を閉じる蓋部と、を有する。そして、麺取り出し口は、単位分量の棒状乾麺の束の端部外形と対応する開口面積を有する。【選択図】図１
2014005034.tif 000002
【特許請求の範囲】
【請求項１】
一定の長さに切り揃えられた単位分量を超える分量の棒状乾麺を収容する筒状部と、前記筒状部の両端部を塞ぐ一対の側端部と、を具備する乾麺用包装体であって、
前記一対の側端部の一方は、
前記棒状乾麺の一方の端部と対向するように設けられた麺取り出し口と、
前記麺取り出し口を閉じる蓋部と、を有し、
前記麺取り出し口が、前記単位分量の前記棒状乾麺の束の端部外形と対応する開口面積を有する、乾麺用包装体。
【請求項２】
前記筒状部が、前記棒状乾麺の長手方向と平行な天部、底部及び一対の側部を有し、かつ、前記筒状部と前記一対の側端部とが６面体の箱を形成しており、
前記麺取り出し口が、前記一方の側端部に、前記底部と隣接するように設けられている、請求項１記載の乾麺用包装体。
【請求項３】
前記天部及び前記底部が長方形であり、前記底部が前記天部よりも小さな幅を有する、請求項２記載の乾麺用包装体。
【請求項４】
前記天部と前記一対の側部との境界部分の少なくとも一方に、前記底部に掌を当てるように前記箱を掴んだときに、手指が填まる凹部が形成されている、請求項２または３記載の乾麺用包装体。
【請求項５】
前記箱の表面に、前記乾麺の当該箱からの取り出し方を示唆する図柄が設置されている、請求項２〜４のいずれか１項に記載の乾麺用包装体。
【請求項６】
前記図柄が手指の絵図を含む、請求項５記載の乾麺用包装体。
【請求項７】
前記箱の容積が、前記単位分量の整数倍の前記棒状乾麺の体積に対応する、請求項２〜６のいずれか１項に記載の乾麺用包装体。
【請求項８】
前記底部を下に、前記天部を上に、前記底部を水平にし、前記筒状部に前記単位分量の２倍の前記棒状乾麺を収容させた状態で、前記麺取り出し口の最上部が、前記筒状部の内部の前記棒状乾麺の上面の位置以下の高さとなるように、前記麺取り出し口が形成されている、請求項２〜７のいずれか１項に記載の乾麺用包装体。
【請求項９】
前記一対の側端部の少なくとも一方に、前記箱の内部を覗く覗き孔が設けられている、請求項２〜８のいずれか１項に記載の乾麺用包装体。
【請求項１０】
前記覗き孔の周囲に前記箱の内部の前記棒状乾麺の分量と対応する目盛りが設けられている、請求項９記載の乾麺用包装体。
【請求項１１】
前記目盛りが前記底部または前記天部を基準に設定されている、請求項１０記載の乾麺用包装体。
【請求項１２】
前記蓋部は、一端部が前記底部と一体的に前記底部と連続して形成されるとともに、他端部に前記天部に設けられた切れ込みに差し込まれる係合片を有している、請求項２〜１１のいずれか１項に記載の乾麺用包装体。
【請求項１３】
前記筒状部が樹脂フィルム製であり、前記一対の側端部が、前記筒状部の両端部を熱圧着処理したシール部であり、かつ前記筒状部と前記一対の側端部とが袋体を形成しており、
前記麺取り出し口が、前記一方の側端部に設けられた、前記熱圧着処理が施されていない所定幅の非処理部からなる通路であり、
前記蓋部が、前記通路の外部側の端部を熱圧着処理することにより形成されており、
前記蓋部よりも内部側で、前記通路を横断するように、前記一方の側端部を切断することで、前記麺取り出し口が開口する、請求項１記載の乾麺用包装体。
【請求項１４】
前記袋体の容積が、前記単位分量の整数倍の前記棒状乾麺の体積に対応する、請求項１３記載の乾麺用包装体。
【発明の詳細な説明】
【技術分野】
【０００１】
本発明は、乾麺用包装体に関し、特に、棒状の乾麺を直接的に包装するための乾麺用包装体に関する。
【背景技術】
【０００２】
従来、棒状の乾燥スパゲッティや乾燥素麺等の乾麺（以下、棒状乾麺）は、透明なポリエチレンフィルム等の袋からなる包装体により包装するのが一般的である。あるいは、製品としての高級感を主張するため等の理由により、棒状乾麺を紙箱からなる包装体により包装することも行われている。
【０００３】
上記のような包装体により包装された棒状乾麺は、包装体から取り出した後、パスタメジャー等の計量器具を使用して、適宜の分量に取り分けられる。パスタメジャーは、一般的には、木やプラスチックの板などに大きさが異なるいくつかの孔を開け、その孔のいずれかに棒状乾麺を通すことで、所望の分量（例えば、一人前、二人前、…）の棒状乾麺を計り取る構造を有している（なお、特許文献１〜３参照）。
【先行技術文献】
【特許文献】
【０００４】
【特許文献１】特開２００５−３４１８４２号公報
【特許文献２】特開平８−２８２６８１号公報
【特許文献３】実用新案登録第３１４７２８７号公報
【発明の概要】
【発明が解決しようとする課題】
【０００５】
ところが、パスタメジャー等の器具は、食品に対して使用するものであるために、常に清潔な衛生状態に保たれることが望まれる。このため、器具のメンテナンスが煩雑になることがある。また、必要なときに器具をいつでも使用できるように、直ぐに取り出せる状態で器具を保管するためのスペースを確保する必要性も生じる。
【０００６】
さらに、パスタメジャーは、計量孔に棒状乾麺を通すときに、より多くの乾麺を通そうとすると、外側の麺が折れてしまい、その欠片が床に落ちてしまう等の不都合がある。逆に、計量孔に通す麺が少なすぎると、その不足を補うように新たな麺を袋から取り出して、さらに孔に通すという操作も必要となる。このように、パスタメジャーを使用する場合には、乾麺を包装体から取り出す操作と、取り出した後の乾麺を孔に通す操作が最低限必要であるとともに、その操作に習熟を要するために、ワンタッチの簡易な操作で単位分量の乾麺を計り分けることができない。
【０００７】
そこで、本発明は、包装体により包装された棒状乾麺を、ワンタッチの簡易な操作で、単位分量だけ取り分けることができる乾麺用包装体を提供することを目的としている。
【課題を解決するための手段】
【０００８】
本発明の一局面は、一定の長さに切り揃えられた単位分量を超える分量の棒状乾麺を収容する筒状部と、前記筒状部の両端部を塞ぐ一対の側端部と、を具備する乾麺用包装体であって、
前記一対の側端部の一方は、
前記棒状乾麺の一方の端部と対向するように予め設けられた麺取り出し口と、
前記麺取り出し口を閉じる蓋部と、を有し、
前記麺取り出し口が、前記単位分量の前記棒状乾麺の束の端部外形と対応する開口面積を有する、乾麺用包装体に関する。
【発明の効果】
【０００９】
本発明の乾麺用包装体によれば、包装体により包装された棒状乾麺を、ワンタッチの簡易な操作で、単位分量だけ取り分けることができる。
【図面の簡単な説明】
【００１０】
【図１】本発明の一実施形態に係る乾麺用包装体の概略構成を示す斜視図である。
【図２】図１とは別の方向から乾麺用包装体を見た斜視図である。
【図３Ａ】乾麺用包装体の一例の展開図である。
【図３Ｂ】乾麺用包装体の他の一例の展開図である。
【図４】乾麺用包装体を規定姿勢で掴んだ状態を示す斜視図である。
【図５】麺取り出し口の適切な形状を示す、乾麺用包装体の側面図である。
【図６】蓋部の詳細を示す、乾麺用包装体の一部斜視図である。
【図７】封緘部の詳細を示す、乾麺用包装体の一部斜視図である。
【図８】本発明の他の実施形態に係る乾麺用包装体の概略構成を示す平面図である。
【発明を実施するための形態】
【００１１】
本発明の乾麺用包装体は、一定の長さに切り揃えられた単位分量を超える分量の棒状乾麺を収容する筒状部と、その筒状部の両端部を塞ぐ一対の側端部と、を具備する。一対の側端部の一方は、棒状乾麺の一方の端部と対向するように設けられた麺取り出し口と、麺取り出し口を閉じる蓋部と、を有する。そして、麺取り出し口は、単位分量の棒状乾麺の束の端部外形と対応する開口面積（ＳＥ）を有する。ここで、「対応する」とは、開口面積（ＳＥ）が、単位分量の棒状乾麺の束の端部外形の面積と略等しいか、それよりも若干大きいことをいう。あるいは、「対応する」とは、麺取り出し口の開口面積（ＳＥ）が、単位分量を超える棒状乾麺の束の端部を麺取り出し口の全域に押し当てたときに、単位分量の棒状乾麺だけが通過するような面積であることを意味している。
【００１２】
上記の構成により、例えば、一方の側端部を下にするように筒状部を傾けるだけで、麺取り出し口から、容易に、単位分量の棒状乾麺を取り出すことができる。これにより、他の器具（例えばパスタメジャー）を使用すること無く、ワンタッチの簡易な操作で単位分量の乾麺を計り分けることができる。なお、単位分量とは、一人前などの乾麺の１回の使用に適する分量をいう。具体的には、乾燥スパゲッティであれば、１００〜１５０ｇ程度の分量である。なお、筒状部に単位分量の整数倍の棒状乾麺を収容して包装すれば、包装された棒状乾麺を全て最後まで単位分量ずつ取り出すことができる。
【００１３】
筒状部の素材は、ポリエチレンフィルム等の柔軟な素材に限られず、板紙やプラスチックなどのソリッドな素材も使用することができる。麺取り出し口は、常に一定の開口面積が得られるように、予め形成されているのがよい。この点、例えば特許文献３の袋では、麺取り出し口を所定の開口面積にするために使用者が正確に鋏を操作する必要があるのに対して、本発明の乾麺用包装体によれば、特別の技量を要することなく、蓋部を開けるだけで、一定の開口面積の麺取り出し口を常に得ることができる。よって、単位分量の乾麺をより正確に取り分けることができる。
【００１４】
また、麺取り出し口は、一方の側端部の中央にではなく、いずれかに偏った位置、ないしは、一方の側端部の外縁の一部分と隣接する位置に設けられているのがよい。これにより、筒状部の中に収容された乾麺が残り少なくなった状態でも、一方の側端部の中で麺取り出し口が設けられた側が下になるように筒状部を傾けることで、容易に単位分量の乾麺を計り分けることができる。
【００１５】
さらに、麺取り出し口の開口面積が単位分量の乾麺の束の端部外形の面積と対応するように固定されていることで、特別の操作を要することなく、単に筒状部を傾けるだけで、単位分量の乾麺を計り分けることができる。以上のように、本発明の乾麺用包装体によれば、ワンタッチの簡易な操作で単位分量の乾麺を取り分けることができる。
【００１６】
本包装体の一例は、筒状部と、一対の側端部とから形成される６面体の箱である。この場合には、筒状部が、棒状乾麺の長手方向と平行な天部、底部、及び一対の側部を有している。このとき、麺取り出し口は、一方の側端部に、底部と隣接するように設けられる。
【００１７】
このように、包装体を、例えば板紙やプラスチックの箱により形成することで、麺取り出し口の形状を一定にすることができる。これにより、その開口部の面積も容易に一定にすることができる。よって、より正確に単位分量の乾麺を計り取ることができる。この場合、特に、当該側端部と底部との境界ラインの全てが麺取り出し口と接するように、麺取り出し口を形成するのが好ましい。これにより、箱の中の麺を残らず最後まで容易に取り出すことができる。
【００１８】
なお、天部及び底部という用語は便宜上の用語である。本明細書では、規定の姿勢（図４参照）で箱を掴んだときに下になる側の箱の面部を底部と定義し、その反対側の面部を天部と定義する。なお、包装体に施される印刷や包装体のデザインによっては、上記の底部が上になるように包装体が陳列されたり、箱詰めされたりすることもあり得る。
【００１９】
ここで、天部及び底部は長方形であり、底部が天部よりも小さな幅を有するのが好ましい。底部が天部よりも小さな幅を有することで、図１及び図２に示すように、箱の横断面形状を台形にすることができる。これにより、一対の側部を底部に向かって内側に傾斜するように形成することができ、底部を下にしたときに、棒状乾麺を集中させることができる。このため、箱の中の麺が残り少なくなったときにも、麺取り出し口と対向するように棒状乾麺を集中させることができるので、箱の中の麺を最後まで、正確に単位分量ずつ取り出すことも容易となる。
【００２０】
さらに、箱の横断面形状が台形であることで、箱の底部に掌を当てるような手の姿勢（図４参照）で、箱を掴むのが容易となる。これにより、女性や子供のように、手が小さい使用者であっても、箱を容易に掴むことができる。
【００２１】
さらに、図４に示すように、下にした底部に掌を当てるように箱を掴むことで、麺の取り出しのために箱を傾ける動作が容易となる。よって、より簡易かつ正確に、単位分量の乾麺を取り出すことが可能となる。
【００２２】
さらに、天部と一対の側部との境界部分の少なくとも一方に、底部に掌を当てるように箱を掴んだときに、手指が填まる凹部が形成されているのも好ましい。これにより、手が小さい使用者であっても、さらに容易に箱を掴むことができる。そして、凹部の存在により、箱を掴むときの掌と底部との位置関係が一義的に決まりやすくなる。このため、単位分量の乾麺の取り出しに便宜な手の姿勢を常に確保することができる。
【００２３】
このとき、箱の表面には、乾麺の当該箱からの取り出し方を示唆する図柄が設置されているのが好ましい。そのような図柄は、手指の絵図を含むのが好ましい。あるいは、麺取り出し口から乾麺が取り出される様子を示す絵図を含むのがさらに好ましい。上記の図柄を箱の表面に設置することで、使用者が、包装体の使用方法を直感的に知ることができる。手指の絵図は、例えば、凹部が形成されているような箱を掴みやすい適切な位置と対応させて設置することができる。あるいは、手指の絵図は、例えば、横断面形状が台形であるような箱を掴みやすい適切な手の姿勢と対応させて設置することができる。あるいは、手指の絵図は、例えば、麺取り出し口から乾麺を取り出しやすい適切な箱の向きと対応させて設置することができる。これにより、使用者に、箱を掴む適切な位置を示唆したり、箱を掴みやすく、かつ麺取り出し口から麺を取り出しやすい適切な手の姿勢や、箱の向きを、示唆したりすることもできる。
【００２４】
ここで、箱の容積は、単位分量の整数倍の棒状乾麺の体積と対応させるのが好ましい。これにより、単位分量の整数倍の棒状乾麺を過不足なく箱に収容することができ、包装体により包装された乾麺の全てを単位分量ずつ取り出して使用することが容易となる。ここで、「対応する」とは、箱の容積が、単位分量の整数倍の棒状乾麺の見掛け上の体積よりも若干大きい（例えば、１〜１５％程度、より好ましくは２〜３％程度大きい）ことをいう。
【００２５】
さらに、本包装体においては、箱の底部を下にし、天部を上にし、底部を水平にし、筒状部に単位分量の２倍の棒状乾麺を収容させた状態で、麺取り出し口の最上部が、筒状部の内部の乾麺の上面の位置以下の高さとなるように、麺取り出し口が形成されているのが好ましい。
【００２６】
図５に、２倍の単位分量の乾麺の上面を一点鎖線２５Ａにより例示する。上記の規定に違反する形状の麺取り出し口を二点鎖線２５Ｂにより例示する。二点鎖線２５Ｂにより示された麺取り出し口では、２倍の単位分量の乾麺の中から、その半分である単位分量の１倍に相当する乾麺を取り分けることは困難である。
【００２７】
これに対して、麺取り出し口２４の形状を、上記の規定に従った、実線により示されたような形状とすることで、箱の中に単位分量の２倍の乾麺が残っているときに、その半分である単位分量の１倍に相当する乾麺を正確に取り分けることができる。その結果、箱の中に単位分量の１倍に相当する乾麺を残すことができ、箱の中に収容した乾麺を最後まで単位分量ずつ取り出すことが可能となる。
【００２８】
さらに、本包装体においては、一対の側端部の少なくとも一方に、箱の内部を覗く覗き孔が設けられているのが好ましい。これにより、箱の中の乾麺の残量を容易に知ることができる。このとき、覗き孔の周囲に箱の内部の乾麺の分量と対応する目盛りを設けることで、箱の中の乾麺の残りの分量を正確に知ることができる。
【００２９】
目盛りは底部を基準に設置することもできるし、天部を基準に設置することもできる。あるいは、底部を基準に設置した目盛りと、天部を基準に設置した目盛りの両方を、一つの覗き孔に形成したり、２つの覗き孔に別々に形成したりすることができる。目盛りが天部及び底部のいずれを基準に設置されているかは、目盛りに付記される文字の向きで区別させることができる（図２参照）。
【００３０】
そして、包装体には、蓋部を封緘する封緘部をさらに備えさせることができる。蓋部は、一端部が底部と一体的に底部と連続して形成されるとともに、他端部に、天部に設けられた切れ込みに差し込まれる係合片を有している。これにより、係合片を天部の切れ込みに差し込むだけの簡単な操作で、麺取り出し口を蓋部により確実に塞いで、乾麺を保存することができる。したがって、封緘部が開封された後にも、乾麺を良好な状態で保存することができる。
【００３１】
または、本発明の他の形態の乾麺用包装体においては、筒状部が樹脂フィルム製であり、一対の側端部が、筒状部の両端部を熱圧着処理したシール部であり、かつ筒状部と一対の側端部とが袋体を形成しており、麺取り出し口が、一方の側端部に設けられた、熱圧着処理が施されていない所定幅の非処理部からなる通路であり、蓋部が、通路の外部側の端部を熱圧着処理することにより形成されており、蓋部よりも内部側で、通路を横断するように、一方の側端部を切断することで、麺取り出し口が開口する。
【００３２】
上記の構成では、通路を横断するように袋体の一方の側端部を単に切断するだけで、一定の開口面積を有する麺取り出し口が開口する。したがって、正確な鋏の操作等の特別の技量を要することなく、簡易に一定の開口面積を有する麺取り出し口が得られる。このとき、図８に示すように、麺取り出し口を、一方の側端部の中央にではなく、一方の側端部の偏った位置に開口させることで、一方の側端部の麺取り出し口が存在する側を下にして袋体を傾けるだけで、単位分量の乾麺を容易に取り出すことができる。このときも、筒状部に単位分量の整数倍の棒状乾麺を収容して包装すれば、包装された棒状乾麺を全て最後まで単位分量ずつ取り出すことができる。したがって、袋体の容積は、単位分量の整数倍の棒状乾麺の体積に対応させるのが好ましい。ここで、「対応する」とは、袋体の容積が、単位分量の整数倍の棒状乾麺の見掛け上の体積よりも若干大きい（例えば、１〜１５％程度、より好ましくは２〜３％程度大きい）ことをいう。
【００３３】
以下、本発明の実施形態を、図面を参照して説明する。
（実施形態１）
図１に、本発明の一実施形態に係る乾麺用包装体を斜視図により示す。この斜視図は、包装体の蓋部が開き、単位分量の棒状乾麺が麺取り出し口から所定長さだけ外部に突出した状態を示している。図２に、包装体を別の角度から見た斜視図を示す。図３に、包装体の展開図を示す。
【００３４】
図示例の包装体１０は、単位分量を超える棒状乾麺（以下、単に乾麺という）１２を収容する箱１４を含んでいる。箱１４の長手方向（Ｘ軸方向）は、乾麺１２の長手方向と平行であり、箱１４の長さは、乾麺１２の長さよりも若干大きい。そして、包装体１０は、図３Ａおよび図３Ｂに示すように、箱１４を含めた全ての部分が一つの薄板状部材１１（または１１Ａ、以下同じ）から形成されている。薄板状部材１１の素材は特に限定されないが、ボール紙（白板紙、１９０〜６００ｇ／ｍ2、より好ましくは３１０〜３５０ｇ／ｍ2程度の単位面積あたりの重量を有するもの）が一例として挙げられる。あるいは、薄板状部材１１は、厚みが０．２〜２ｍｍ、より好ましくは０．２５〜０．３ｍｍ程度の薄いプラスチック板を素材として、形成することもできる。コスト的には、ボール紙が好ましい。
【００３５】
図示例の箱１４は、横断面形状（Ｙ−Ｚ平面で切断した形状）が台形であり、それぞれが長方形の天部１６、底部１８、及び一対の側部２０、並びに、一対の台形の側端部２２Ａ及び２２Ｂを有している。そして、一方の側端部２２Ａには、単位分量（例えば一人前）の乾麺１２を取り出すための麺取り出し口２４が形成されている。麺取り出し口２４の開口面積ＳＥは、上述したように、単位分量の乾麺１２の束の端部外形の面積とほぼ等しいか、それよりも若干大きくされている。なお、天部及び底部という呼称は便宜上のものである。ここでは、規定の姿勢（図４参照）で箱１４を掴んだときに、上になる面部を天部とし、下になる面部を底部とする。
【００３６】
また、箱１４の容積は、単位分量の整数倍の乾麺１２の体積と対応させることができる。これにより、単位分量の整数倍（例えば４倍）の乾麺１２を過不足なく包装することが容易となる。単位分量の整数倍の乾麺１２を包装することで、包装された乾麺１２を最後まで単位分量ずつ取り出すことが可能となる。
【００３７】
このとき、図５に示すように、麺取り出し口２４の形状は、底部１８を下にし、天部１６を上にし、底部１８を水平にし、箱１４に、単位分量の２倍の乾麺１２を収容させた状態で、麺取り出し口２４の最上部が、箱１４内部の乾麺１２の上面の位置（一点鎖線２５Ａの位置）よりも低くなるように設定されるのが好ましい。これにより、箱１４の中に単位分量の２倍の乾麺１２が残っているときに、その半分である単位分量の１倍に相当する乾麺１２を正確に取り分けることができる。その結果、箱１４の中に単位分量の１倍に相当する乾麺１２を残すことができ、包装された乾麺１２を最後まで単位分量ずつ取り出していくことが可能となる。
【００３８】
これに対して、二点鎖線２５Ｂにより示すような、最上部が一点鎖線２５Ａの位置よりも高い麺取り出し口を形成した場合には、２倍の単位分量の乾麺の中から、その半分である単位分量の１倍に相当する乾麺を正確に取り分けることが困難である。その結果、包装された乾麺１２を最後まで単位分量ずつ取り出していくことが困難となる。
【００３９】
底部１８の幅Ｌｂは、天部１６の幅Ｌｕよりも小さく、図示例では、Ｌｂ：Ｌｕ＝２：５程度であり、Ｌｂ：Ｌｕの比の値は約０．４となっている。Ｌｂ：Ｌｕの比の値は、０．３〜０．５、より好ましくは０．３６〜０．４４の範囲に設定するのが、乾麺１２を麺取り出し口２４に集中させるために好ましい。そして、麺取り出し口２４は、台形の側端部２２Ａの中央にではなく、底部１８と隣接する偏った位置に形成されている。麺取り出し口２４は、底部１８から離れた側に、両端の２つの角が丸められた長辺を有する長方形の形状を有している。
【００４０】
そして、他の１つの長辺は、側端部２２Ａと底部１８との境界ラインと一致している。これにより、包装された乾麺１２を残らず最後まで容易に取り出せる。
【００４１】
底部１８の麺取り出し口２４側の端部には、底部１８と一体的に、麺取り出し口２４を塞ぐ蓋部２６が延設されている。蓋部２６は、側端部２２Ａとほぼ同じ形状を有する蓋部本体２６ａと、蓋部本体２６ａを側端部２２Ａと重なり合った状態で固定するための固定部２６ｂとを有している。
【００４２】
固定部２６ｂは、蓋部本体２６ａが側端部２２Ａと重なり合った状態で、蓋部本体２６ａとの境界線２８Ａ（図３Ａおよび図３Ｂ参照）で蓋部２６を折り曲げることで、天部１６と平行になる。その状態で、半円状の係合片２６ｃを天部１６の切れ込み１６ａに差し込むことで、蓋部本体２６ａが固定される。これにより、麺取り出し口２４が蓋部２６により塞がれる。なお、係合片２６ｃは、図６に示すように、固定部２６ｂが折り線２８Ｂで折られた状態で切れ込み１６ａに差し込まれる。
【００４３】
図３Ａおよび図３Ｂに示すように、箱１４の表面には、乾麺１２の箱１４からの取り出し方、ないしは包装体１０の使用方法を示唆する図柄が設置されているのが好ましい。そのような図柄は、手指の絵図や、麺取り出し口から乾麺１２が取り出される様子を示す絵図を含むのが好ましい。これにより、使用者が、包装体１０の使用方法を直感的に知ることができる。図３Ａの図柄３０は、包装体１０の使用方法を示唆しており、その手指の絵図は、凹部３２が形成されている箱１４を掴みやすい適切な位置を示すように設置されている。
【００４４】
図３Ｂの図柄３０Ａも、包装体１０の使用方法および箱１４を掴む位置を示すとともに、その手指の絵図は、横断面形状が台形であるような箱１４を掴みやすい適切な手の姿勢、および麺取り出し口から乾麺を取り出しやすい適切な箱の向きを示唆するように設置されている。つまり、図３Ｂの図柄３０Ａの手指の絵図と指の配置が一致するように箱１４を掴むことで、箱を掴みやすく、かつ麺取り出し口から麺を取り出しやすい適切な手の姿勢、および箱の向きで、箱１４を掴むことができる。
【００４５】
これにより、使用者は、容易に、図４に示すような、麺取り出し口２４から単位分量の乾麺１２を取り出すための適切な手と箱の姿勢で箱１４を掴むことができる。以下、そのような手と箱の姿勢を規定姿勢という。図４に示すように、規定姿勢では、掌を底部１８に当て、麺取り出し口２４を掌で小指のある側に位置させるようにして、箱１４が掴まれる。
【００４６】
また、箱１４の横断面形状が台形であることで、女性や子供のように、手が小さい使用者であっても、規定姿勢で箱１４を容易に掴むことができる。なお、図４は、右利きの使用者が規定姿勢で箱１４を掴んだ場合を示している。左利きの使用者の場合も、図の左右が入れ替わる（鏡面対象）だけで、規定姿勢は右利きの使用者の場合と同様である。
【００４７】
天部１６と、一対の側部２０とのそれぞれの境界で、箱１４の長手方向の略中央の位置には、規定姿勢で箱１４を掴んだときに手指が填まるように一対の凹部３２が形成されている。これにより、手が小さい使用者であっても、さらに容易に箱１４を規定姿勢で掴むことができる。凹部３２は、例えば天部１６と一対の側部２０との間の各山折り線２８Ｃ（図３参照）の中央の部分をレンズ状の二重の山折り線２８Ｄにすることで形成することができる。
【００４８】
一対の側部２０の少なくとも一方には、覗き孔３６を設けることができる。覗き孔３６には、乾麺１２の残量が単位分量の何倍に相当するかを示すための目盛り３８を設けることができる（図２参照）。目盛り３８は、底部１８を基準に設置しても良いし、天部１６を基準に設置しても良い。目盛り３８の基準がどちらであるかは、例えば、その目盛りに付記された文字の向きで示すことができる。覗き孔３６は、一対の側部２０の該当箇所を刳り貫くことで容易に形成することができる。
【００４９】
図７に示すように、包装体１０には、蓋部２６を封緘する封緘部４０を付設することができる。図示例の封緘部４０は略円形のシール状部材３７から形成されている。そのシール状部材３７により、蓋部２６の固定部２６ｂを天部１６に貼り付けることで、蓋部２６が封緘される。シール状部材３７に舌状片３７ａを設けることで、シール状部材３７を剥がすのが容易となり、開封がスムーズに行える。
【００５０】
箱１４には、包装体１０の使用方法を説明する説明表示部１６ｂを設けるのが好ましい。これにより、使用者は、箱１４から単位分量の乾麺１２を取り出す方法を確実かつ容易に知ることができる。説明表示部１６ｂは天部１６に設けるのが好ましく、これにより、使用者は、箱１４を規定姿勢で掴んだときに、使用方法の説明を容易に読むことができる。
【００５１】
以下、薄板状部材１１について、補足的に説明する。薄板状部材１１において、側端部２２Ａは、長辺部が天部１６と一体的に結合されるように、天部１６の一端部から延設されている。側端部２２Ａと天部１６との境界線２８Ｅは図３の紙面において山折りにされる。側端部２２Ａの一対の斜辺部には糊代部３４Ａ及び３４Ｂが延設されている。これらの糊代部３４Ａ及び３４Ｂにより、側端部２２Ａと一対の側部２０の各一端部とが接合される。
【００５２】
同じく、側端部２２Ｂは、長辺部が天部１６と一体的に結合されるように、天部１６の他端部から延設されている。一対の側部２０の各他端部には、糊代部３４Ｃ及び３４Ｄが延設されている。これらの糊代部３４Ｃ及び３４Ｄにより、側端部２２Ｂの一対の斜辺部と一対の側部２０の各他端部とが接合される。台形の側端部２２Ｂの短辺部は、底部１８の他端部に延設された糊代部３４Ｅにより底部１８の他端部と接合される。底部１８は、一側端部で、一方の側部２０の側端部に延設された糊代部３４Ｆにより当該側部２０と接合される。
【００５３】
以下、図示例の包装体の使用手順を説明する。最初に、使用者が、シール状部材３７の舌状片３７ａを指で掴み、シール状部材３７を箱１４から剥がすと、封緘部４０が開封される。これにより、蓋部２６を開けることが可能となる。
【００５４】
次に、使用者が、蓋部２６の固定部２６ｂを指で持ち上げ、蓋部本体２６ａを側端部２２Ａから離すように境界線２８Ｅを中心に蓋部２６を回動させると、麺取り出し口２４が開口する。
【００５５】
次に、使用者が、箱１４を規定姿勢（図４参照）で掴み、麺取り出し口２４を下にするように、箱１４を傾けると、麺取り出し口２４の開口面積ＳＥと対応する端部外形の面積を有する乾麺１２の束が、麺取り出し口２４から滑り出る。滑り出た乾麺１２を使用者が反対側の手などで受け取ることにより、単位分量の乾麺１２が計り取られる。
【００５６】
単位分量の乾麺１２の計り分けは、続けて実行することができる。あるいは、単位分量の乾麺１２を計り分けた後、使用者は、係合片２６ｃを切れ込み１６ａに差し込むことで、麺取り出し口２４を塞ぐことができる。これにより、使用者は、残りの乾麺１２を箱１４に収容した状態で保管することができる。そして、所定期間の保管の後、使用者は、蓋を開けて、上記の手順で、単位分量の乾麺１２をさらに計り分けることができる。
【００５７】
また、箱１４に単位分量の２倍の乾麺１２が残っているときに上記の手順で単位分量の乾麺１２を取り出すことで、箱１４の残りの乾麺１２の分量は、自動的に単位分量の１倍となる。したがって、残りの乾麺１２を麺取り出し口２４から全て取り出すことで、最後まで単位分量ずつ乾麺１２を箱１４から取り出すことができる。以上のようにして、図示例の包装体１０によれば、包装された乾麺１２を全て単位分量ずつ取り出すことができる。
【００５８】
次に、本発明の実施形態２を説明する。
（実施形態２）
図８に、本発明の実施形態２に係る包装体を平面図により示す。
【００５９】
図示例の包装体１０Ａは、ポリエチレンフィルム等の柔軟性のある素材からなる筒状部を含む。筒状部の両端部を熱圧着処理したシール部とすることで、一対の側端部４２Ａ及び４２Ｂが形成される。これにより、単位分量以上の乾麺１２を収容するための袋体１４Ａが形成される。袋体１４Ａは、長方形であり、乾麺１２は、長手方向が袋体１４Ａの長手方向（Ｘ１軸方向）と平行になるように、袋体１４Ａに容れられる。袋体１４Ａの容積を、単位分量の整数倍の乾麺１２の体積と対応させることで、単位分量の整数倍の乾麺１２を、過不足なく包装することができる。
【００６０】
袋体１４Ａは、一方の側端部４２Ａに、熱圧着処理（ヒートシール）が施されていない所定の幅の非処理部である通路を有している。この通路が麺取り出し口２４Ａを形成する。そして、麺取り出し口２４Ａは、外部側の端部を熱圧着処理して形成される蓋部４４により塞がれている。そして、麺取り出し口２４Ａは、上記の通路を横断するように、袋体１４の短手方向（Ｙ１軸方向）に沿って、一方の側端部４２Ａを、蓋部４２よりも内部側で切断することにより開口する。図８には、破線４５で、側端部４２Ａを切断するときの切断線の一例を示している。
【００６１】
麺取り出し口２４Ａを形成する通路の袋体１４Ａの内部に向かう開口部の２つの隅部４３は、丸められており、これにより、袋体１４Ａの内部の乾麺１２を麺取り出し口２４Ａに容易に集中させることができる。
【００６２】
以下、図示例の包装体１０Ａの使用手順を説明する。使用者が、カッターや鋏により、袋体１４の短手方向（Ｙ１軸方向）に沿って、一方の側端部４２Ａを、蓋部４２よりも内部側で通路を横断するように切断することにより、麺取り出し口２４Ａが開口する。
【００６３】
次に、使用者が、開口した麺取り出し口２４Ａを下にするように袋体１４を傾けると、麺取り出し口２４Ａの開口面積と対応する端部外形の面積を有する乾麺１２の束が、麺取り出し口２４Ａから滑り出る。滑り出た乾麺１２を使用者が反対側の手などで受け取ることにより、単位分量の乾麺１２が計り分けられる。
【００６４】
単位分量の乾麺１２の計り分けは、続けて実行することができる。あるいは、単位分量の乾麺１２を計り分けた後、使用者は、麺取り出し口２４Ａをクリップで止める等して、残りの乾麺１２を袋体１４Ａに収容した状態で保管し、所定期間の保管の後、クリップを外すなどして麺取り出し口２４Ａを開口させ、さらに上記の手順で、単位分量の乾麺１２を計り分けることができる。
【００６５】
また、袋体１４Ａに単位分量の２倍の乾麺１２が残っているときにも上記の手順で単位分量の乾麺１２を計り分けることができる。このとき、その残りの乾麺１２の分量は、自動的に単位分量の１倍となる。したがって、残りの乾麺１２を全て麺取り出し口２４Ａから取り出すことで、最後まで単位分量ずつ乾麺１２を取り出すことができる。以上のようにして、図示例の包装体１０Ａによれば、包装された乾麺１２を全て単位分量ずつ取り出すことができる。
【産業上の利用可能性】
【００６６】
本発明の乾麺用包装体によれば、特別の器具を使用することなく、棒状乾麺を、簡易かつ正確に単位分量だけ取り分けることができる。よって、本発明の乾麺用包装体は、乾燥スパゲッティや乾燥素麺の使用に際して、多大の利便性を使用者に提供することができる。
【符号の説明】
【００６７】
１０、１０Ａ…包装体、１１…薄板状部材、１２…乾麺、１４…箱、１４Ａ…袋体、１６…天部、１６ａ…切れ込み、１６ｂ…説明表示部、１８…底部、２０…側部、２２Ａ、２２Ｂ、４２Ａ、４２Ｂ…側端部、２４、２４Ａ…麺取り出し口、２６、４４…蓋部、２６ａ…蓋部本体、２６ｂ…固定部、２６ｃ…係合片、３２…凹部、３６…覗き孔、３７…シール状部材、３７ａ…舌状片、４０…封緘部、
【図１】
2014005034.tif 000003
【図２】
2014005034.tif 000004
【図３Ａ】
2014005034.tif 000005
【図３Ｂ】
2014005034.tif 000006
【図４】
2014005034.tif 000007
【図５】
2014005034.tif 000008
【図６】
2014005034.tif 000009
【図７】
2014005034.tif 000010
【図８】
2014005034.tif 000011